(57)【要約】【課題】利便性、操作性、コストを考慮しつつ、回胴式遊技機の防犯効果を高める。【解決手段】前面が開放された筐体２と、筐体２の上部室３と下部室４とを区画形成する仕切板５と、上部室３に収容された主基板６と、下部室４に収容されたリールユニット７と、筐体２の上部室３の前面を開閉する上扉１１と、筐体２の下部室４の前面を開閉する下扉１２と、を備え、下扉１２を開放するときには、上扉１１は閉止され、下扉１２を開放しても、上扉１１は鍵シリンダ錠１３で閉じており開かない構造であり、筐体２の内部は仕切板５で上部室３と下部室４とに区画されている。【選択図】        図２
2009261773.tif 000002
【特許請求の範囲】
【請求項１】
前面が開放された筐体と、
該筐体を、主基板が収容される上部室と、リールユニットが収容される下部室とに区画形成する仕切板と、
前記上部室の前面に設けた上扉と、
前記下部室の前面を開閉する下扉と、
を備え、
前記下扉を開放しても、閉止部により前記上扉の開放が阻止され、前記仕切板が前記主基板を防護する構造であることを特徴とする回胴式遊技機。
【発明の詳細な説明】
【技術分野】
【０００１】
本発明は、回胴式遊技機、特に、主基板を収容するための躯体の構造に関する。
【背景技術】
【０００２】
特許文献１の発明のスロットマシンは、制御基板装置に対する確認作業の容易化を図りつつ、制御基板装置を筐体内から取り外して行われる不正行為を抑制することができる遊技機を提供するため、筐体とその前面の前面扉とを有し、筐体１１の前面側には、前面開閉扉としての前面扉１２が開閉可能に取り付けられている。この前面扉１２は、上下に分割可能な２ 体の扉体より構成されており、上側が上扉１３、下側が下扉１４となっている。上扉１３及び下扉１４は、筐体１１の前側開放部を全て塞ぐように設けられ、スロットマシン１０の左縁部を軸線として手前側に開放されるようになっている。この場合、上扉１３及び下扉１４は裏面側で連結部材により連結されており、基本的に両者一体で開放又は閉鎖される。筐体内には、リール装置４０６をベースフレーム４０１に搭載してなるリールユニット４００が装着される。ベースフレーム４０１の上背面部に開口部４２７が設けられる。ベースフレーム４０１の後方から開口部４２７に主制御装置２０１を挿通するようにして主基板ユニット２００が取り付けられる。主制御装置２０１は手前側への移動が可能である。一方、台座装置２１０は開口部４２７を介して手前側へ移動することが困難なものとなっている。
【０００３】
【特許文献１】特開２００４−２５５２３５号公報
【発明の開示】
【発明が解決しようとする課題】
【０００４】
しかしながら、特許文献１の発明は、前面扉を開け、リールユニットなどの点検・修理などをするときには、主基板も丸見え状態となるので、点検・修理には便利である反面、前面扉を開けば自動的に主基板が無防備状態となるので、不正夜間侵入、営業中不正開扉などによって、主基板への不正行為を有効に防止することが困難になるという問題がある。特許文献１の発明では、制御基板装置を筐体から取り外して行う不正行為に対しては、その効果を発揮させることができるが、その他の類型の不正行為、たとえば、ロム交換、ぶら下がり基板、セル・ピアノ線の侵入による不正行為、ゴト行為による不正な設定変更、下皿からの侵入等による不正行為に対しては有効ではないおそれがある。また、この発明は、構造が大掛かりで複雑化し、コスト面での壁が生じ、低価格で実効性のある対策が困難である。
【０００５】
そこで、本発明は、利便性、操作性、コストを考慮しつつ、回胴式遊技機の防犯効果を高めることを目的とする。
【０００６】
完全防犯は諸般の事情から事実上困難と思量され、コストをかけたからといってセキュリティが完全なものとなる保障はない。本発明の趣旨は、利便性、操作性、低コストを確保した上で、不正行為を行い難くすることである。
【課題を解決するための手段】
【０００７】
以上の課題に鑑み、本発明の回胴式遊技機は、前面が開放された筐体と、該筐体を、主基板が収容される上部室と、リールユニットが収容される下部室とに区画形成する仕切板と、前記上部室の前面に設けた上扉と、前記下部室の前面を開閉する下扉と、を備え、前記下扉を開放しても、閉止部により前記上扉の開放が阻止され、前記仕切板が前記主基板を防護する構造であることを特徴とする。
【０００８】
「仕切板」は平板状、曲板状のいずれでもよい。また「仕切板」は透明板、半透明板、不透明板のいずれも含む。「仕切板」により、主基板を収容する上部室と、リールユニットを収容する下部室を独立した室として構成し、点検等のため下扉を開放させたとしても、上扉を開放しない限り、主基板が丸見え状態にはならずに、主基板に不正行為を行うことが困難となるため、防犯性を高めることができる。
【０００９】
「閉止部」は、上扉に設けた錠、又は、上扉を筐体に固定するネジ・ビス等の締結部品が好ましい。締結部品はネジ・ビスなど解除できるものが好ましい。また、「上扉」と、「下扉」に個別に錠を設けることが好ましい。上部錠の鍵だけを持っていっても、「上扉」が「下扉」に引っかかって、「上扉」が単独では開かない構造が好ましい。また一方、下部錠の鍵だけを持っていっても、「上扉」が「閉止部」で閉じているため、「上扉」が単独で開かない構造である。また、上部錠の鍵の使用頻度が低く、下部錠の使用頻度が高いことから、上部錠と下部錠の鍵を個別に管理することで、防犯性が高くなるのである。
【００１０】
「前記下扉を開放しても、閉止部により前記上扉の開放が阻止され、」とは、下扉を開けたときに、上扉が閉止部で物理的にその開放が阻止される構造である。
【００１１】
また、下扉を閉じたままでは上扉が開放しない構造、つまり、下扉を開けない限り、上扉が単独では開かないようになっているものが好ましく、たとえば、上扉の下端縁の前面側に下扉の上端縁が折り重ねてあるものが挙げられる。
【００１２】
「上扉」は、板金から構成されることが好ましいが、ＭＤＦ（中密度繊維板）、紙、合成樹脂など、他の材質でもよい。「上扉」は、開き戸のほかに、取り外し戸も含むことが好ましい。「上扉」は、蝶番による開閉扉であってもよいし、また、防犯性を高めるために、ネジ・ビス・ボルト等の螺合部品により筐体に固定され、螺合部品を解除することで扉を開放できるようにしてもよいし、さらに、蝶番と螺合部品とを組み合わせてもよい。
【００１３】
「下扉」は、操作性を向上させるため、蝶番による開閉扉であることが好ましい。「下扉」は開き戸が好ましい。
【００１４】
「筐体」は、板金、ＭＤＦ（中密度繊維板）、紙板、合成樹脂板などから選択することが好ましい。
【００１５】
「主基板」は、遊技規則に定義されているように、遊技の結果に影響を及ぼし、又は及ぼすおそれがある機能を有する基板で、配線を相互に接続するための電子部品のみが装着されたもの以外のものをいう。主基板は、透明なケースで、点検などのため、これを開封することにより、そのこん跡が残るもの（「主基板ケース」という。）に密封されているものであることが好ましい。通常、主基板には封印シールが貼付されている。
【００１６】
「前記仕切板により前記主基板を防護する構造」としては、「仕切板」により、「上部室」と「下部室」とを分離する構造、或いは、２つの室の間に隙間を設けて、連通状態とする構造を含む。その隙間は、不正行為に対して障害となる隙間であればよく、たとえば、手や不正用器具が挿入できない、或いは、困難であることが好ましい。「仕切板」の左右や奥側には隙間を設けないこともあるし、設けることもある。「仕切板」の前部に防護壁としての縦板を設けてもよい。「仕切板」が透明板の場合には、視認性が優れているが、不透明板の場合には、主基板の視認性を確保するため、主基板を監視できる隙間を設けて、不正行為を点検できる構造が好ましい。
【００１７】
ところで、特許文献１の発明では、上扉１３の裏面には、表示制御装置６０１が取り付けられている。上扉１３を閉じるためには、表示制御装置６０１を横幅一杯に設置することは、上扉１３を閉じる場合に、回転軌跡上、筐体１１に衝突してしまうことから困難であり、表示制御装置６０１の形状が制約される（横幅が制約され、或いは、丸い形状とせざるを得ないなど）という不便がある。そこで、こういった少ない範囲でしか装置が取り付けられない不便さを解消するため、本発明では、上部室に表示制御装置を収容したり、或いは、役物、音響装置、及び/又はサブ基板ボックス等の装置を設置する構造が好ましい。これにより、上部室の空いたスペースを有効に活用することができる。また、大型の装置を上部室に収容できる。
【００１８】
前記の装置は、仕切板の上に設置することが設置安定性などの観点から好ましい。また、液晶表示装置など、表示装置又は役物は、上扉に近接配置することが好ましい。そのため上扉には窓を設けることが好ましい。
【発明の効果】
【００１９】
請求項１の発明によれば、主基板を収容する上部室が下部室から独立した室で構成され、下扉を開放しても、上部室内の主基板への不正行為が困難となり、利便性や操作性を低減させることなく、低コストで、回胴式遊技機の防犯効果を高める実現できる。
【発明を実施するための最良の形態】
【００２０】
以下、本発明の実施の形態に係る回胴式遊技機１について図１〜図７を参照して説明する。
【００２１】
本発明実施形態の回胴式遊技機１は、図１〜図２に示す通り、前面が開放された筐体２と、筐体２の上部室３と下部室４と区画形成する仕切板５と、上部室３に収容され電子抽選を行ってその抽選結果に応じて各リールの回転及び停止制御を行う主基板６と、下部室４に収容され３個のリール及び各リールを回転するステッピングモータを含むリールユニット７と、下部室４の中段に設けられ上下に室を分割し下部側に電源ボックス８を収容する収容室９を分割形成する棚板１０と、筐体２の上部室３の前面を開閉する上扉１１と、筐体２の下部室４の前面を開閉する下扉１２と、を備えている。収容室９には、当たりになったときにメダルを払いだすホッパー装置（図示略）などが格納されている。また、回胴式遊技機１は、下扉１２を開放しても、上扉１１は閉止されている。上扉１１に設けられている鍵シリンダ錠１３に専用鍵を用いて、上扉１１を開放しなければならない。下扉１２に設けられている鍵シリンダ錠１４に専用鍵を用いて下扉１２を開放しなければならない。下扉１２を開放しても、上扉１１は、請求項１の閉止部の一例である鍵シリンダ錠１３で閉じており開かない構造である。また、上扉１１の開放が阻止されるとともに、仕切板５により、上部室３が区画されることで、主基板６を防護する構造である。
【００２２】
下扉１２にはリール観察窓１５が設けられ、遊技者はこの窓１５を通してリールユニット７の３個のリールを部分的に観察することができる。また、リール観察窓１５の下方には、毎ゲームごとに遊技者がベットしたメダルの枚数を表示するベット枚数表示部、当たりが得られたときの払出しメダル枚数を表示する配当メダル枚数表示部、クレジットしたメダルの枚数を表示するクレジット枚数表示部などから構成される表示部１６が表面側に設けられている。下扉１２には、メダルの投入口、ベットボタン、リールごとに対応したストップボタン、スタートレバーが設けられ、また下部にはメダル受皿１７が設けられている。上扉１１は、蝶番（図示略）で開閉自在に筐体２に連結されている。下扉１２は蝶番１８，１９で筐体２に連結されている。以下、詳細に説明する。
【００２３】
図２、３に示す通り、筐体２は縦長の角形ボックスであり、矩形の前面が開放されている。筐体２は、板金のほか、ＭＤＦ（中密度繊維板）、紙板、合成樹脂板などから選択することが好ましい。
【００２４】
図１〜図３に示す通り、上部室３の容積は、下部室４の容積よりも小さく、好ましくは、容積比率は、１/３以下、特に、１/４以下であるが、最低、主基板６が適切に収容できる容積に設定される。
【００２５】
図２に示す通り、筐体２の内部は仕切板５で上部室３と下部室４とに区画され、区画されたそれぞれの領域に主基板６と、リールユニット７が独立して収納されている。なお、電子抽選やリールの停止制御を行う主基板６は、不正行為がしにくいように、封印機能をもった基板ケースに収納した上で上部室３の奥に縦方向に収められている。そして、上扉１１を閉じると仕切板５の上方にある主基板６などが覆われる。また、下扉１２を閉じると、棚板１０の上側と下側にある電源ボックス８やホッパー装置（図示略）などが覆われる。
【００２６】
仕切板５は、板金のほか、ＭＤＦ（中密度繊維板）、紙板、合成樹脂板などから選択することが好ましい。
【００２７】
仕切板５の構造は種々の構造がある。たとえば、図２、図４（ａ）に示す通り、矩形の仕切板５を水平に配置し、その後端縁と両側側面縁は、筐体２の奥側面と両側面にそれぞれ固定され、前面縁は、上扉１１の後面縁に当接するものが挙げられる。また、図４（ｂ）に示す通り、仕切板５の前面側に隙間５３を形成し、上部室３と下部室４とを連通させてもよい。図４、図５に示す通り、装置２０を収容する場合には、装置２０を収容しない場合と比べて、仕切板５を長くする必要がある。図５に示す通り、仕切板５の前部に防護壁として縦板５４を立設してもよく、防犯効果を高めることができる。図６（ａ）（ｂ）に示す通り、仕切板５で主基板６を覆う覆板構造としてもよい。この場合、仕切板５で囲まれた主基板６が収容されている空間が上部室３となる。また図６の点線で示す通り、装置２０を収容する場合には、仕切板５を増設することもある。図６の場合、仕切板５はビスなどの締結部品で筐体２の内壁に固定される。ここでは締結部品の取り外しは可能とする。
【００２８】
図面に示す主基板６は、主基板６の板面の見通しを妨げない構造のソケットなどを用いてロムが装着されている。主基板６は縦方向又は横方向のいずれでも上部室３内に装着してもよいが、上扉１１を開放した場合に、主基板６の電子部品が装着された面を容易に見通すことができるようにするとよい。また、主基板６の設置場所は、上部室３の天井面、底面、左側面、右側面、奥側面のいずれでもよい。本実施形態では、主基板６は、図２に示す通り奥側面に縦方向に装着されている。また、主基板６は透明又は半透明の主基板ケースで覆われており、開封することなく、主基板６の両面又は片面を見通すことができるものである。
【００２９】
電源ボックス８にはトランスや定電圧回路などが組み込まれ、外部電源からの電源供給を受けてスロットマシンの各部、例えば、主基板６、リールユニット１０、ホッパー装置、各種表示部を駆動するための表示回路などのそれぞれに規定の電圧で給電を行う。
【００３０】
上扉１１の裏側面には、図２の点線で示す通り、役物、表示装置、音響装置及び/又はサブ基板ボックスなどの各種装置２０を装着してもよい。主基板６の配置は装置２０の奥側が好ましく、スペースの有効活用になる。コストを抑えるため、装置２０には表示装置がない場合がある。最低限、役物は設置することが多い。この場合、上扉１１の開閉の都合上、装置２０の回転の軌跡上、出張部分が筐体２に当たって閉まらないこともあるので、少ない空間範囲でしか装置が取り付けられない場合がある。そこで、これに代えて、当該装置２０を、図４〜図６に示す通り、上部室３の内部に装着してもよい。この場合、上部室３内部に収納することによって、スペースを有効に活用できる。また上扉１１の意匠変更・交換が容易になる。
【００３１】
装置２０は、仕切板５の上に設置することが設置安定性などの観点から好ましい。また、液晶表示装置など、表示装置又は役物は、上扉１１に近接配置することが好ましい。そのため上扉１１には窓を設けることが好ましい。
【００３２】
図２に示す通り、本実施形態では、上扉１１は右開き構造であるが、図７に示す通り、下開き構造としてもよい。図７では図２の部品番号を１００番台とする。上扉１１の下端凹縁は、下扉１２の上端凸縁１２ａの後面に重ねられていて、凹凸嵌合構造をなしており、上扉１１単独では開放できない構造である。つまり、下扉１２を開放しない限り、上扉１１は開放できない構造である。
【００３３】
また、上扉１１が蝶番で筐体２に対して接続される開き戸の構造としたが、ビスなどの締結部品で止めることにより筐体２に固定してもよい。この場合、締結部品を解除することで、上扉１１を筐体２から取り外すことができる。
【００３４】
下扉１２には鍵シリンダ錠１４は必要であるが、上扉１１からは鍵シリンダ錠１３を無くして、外又は中から締結部品たとえばネジによって締結してもよい。上扉１１を開ける頻度は下扉１２に比べて少ないからである。上扉１１は横スライド、縦スライド構造でもよい。また、上扉１１を、設定キーで開けるようにすることも可能である。
【００３５】
本実施形態では、下扉１２を開放したときに、レバー等の操作部（図示略）で上扉１１を自動的に開放する構造については、設けていない。構造の簡素化のため、及び、閉止部である鍵シリンダ錠１３で上扉１１の開放が強制的に阻止されるからである。ただし、操作性向上のためには、このような操作部を付加的に設けてもよい。
【００３６】
〔実施形態の動作〕
本実施形態に係る回胴式遊技機１の動作の一例につき図面を参照して説明する。回胴式遊技機１の投入口から１〜３枚のメダルを投入し、あるいはベットボタンを操作してクレジットされたメダルの中から３枚のメダルをベットした後、スタートレバーを操作するとその時点で電子抽選が行われ、当たりの種類あるいは外れが決められる。そして、一斉に３個のリールが回転を開始し、遊技者は任意のタイミングでストップボタンを順に操作することによって、対応するリールを停止させることができる。ただし、すでに電子抽選によって当たりの種類あるいはハズレが決められているので、ストップボタンの操作によってリールの停止制御が開始されるが、基本的には電子抽選の結果が反映されるようにリールの停止制御が行われる。そして、当たりになった場合にはメダル受皿１７に当たりの種類に応じた枚数のメダルが払いだされる。
【００３７】
次に、回胴式遊技機１の点検・修理を行う場合には、まず専用鍵で錠１４の解錠を行って下扉１２を開放する。このとき、必要に応じて、下部室４内部の点検・修理を行う。主基板６などの上部室３の点検・修理が必要な場合には、下扉１２を開けた後、専用鍵で錠１３の解錠を行って、上部室３内部の主基板６などの点検・修理を行い、専用鍵で錠１３の施錠を行ってから、専用鍵で錠１４の施錠を行う。
【００３８】
〔実施形態の効果〕
本実施形態の回胴式遊技機１によれば、上扉１１と下扉１２は、鍵シリンダ錠１３と鍵シリンダ錠１４とで、別々に施錠されているので、通常、メンテナンスのときに、下扉１２を開けても、上扉１１が鍵シリンダ錠１３で閉じられ、上部室３が仕切板５で覆われているので、主基板６に対する不正行為が困難になる。また、上扉１１の鍵シリンダ錠１３を開けようとしても、下扉１２が鍵シリンダ錠１４で施錠されているので、上扉１１を開くことができず、主基板６に対する不正行為が困難になる。特に、主基板６のＲＯＭ不正交換、主基板６に接続されているコネクタ不正接続などを有効に防止できる。
【００３９】
上扉１１、下扉１２、仕切板５を備えた簡易な構造であるので、利便性、操作性、低コストを確保した上で、不正行為をし難くする実用的な効果がある。
【００４０】
なお、本発明は、上述の実施の形態に限定されるものではなく、本発明の技術的思想を逸脱しない範囲において、改変等を加えることが出来るものであり、それらの改変、均等物等も本発明の技術的範囲に含まれることとなる。たとえば、上部室３、上扉１１、仕切板５、閉止部である鍵シリンダ錠１３の構造は、図示のものには限定されることがない。
【図面の簡単な説明】
【００４１】
【図１】本発明実施形態の回胴式遊技機の正面図である。
【図２】同実施形態の上扉と下扉を開放した状態の斜視図である。
【図３】同実施形態の回胴式遊技機の下扉のみを開放した状態の斜視図である。
【図４】（ａ）は同実施形態の上部の部分縦断面図、（ｂ）は変更形態の上部の部分断面図である。
【図５】（ａ）は異なる変更形態の上部の部分縦断面図、（ｂ）は更に異なる変更形態の上部の部分縦断面図である。
【図６】（ａ）は他の実施形態の上部の部分縦断面図、（ｂ）は更に異なる他の変更形態の上部の部分縦断面図である。
【図７】同実施形態の変更形態の上扉と下扉を開放した状態の斜視図である。
【符号の説明】
【００４２】
１・・・回胴式遊技機  ２・・・筐体  ３・・・上部室  ４・・・下部室
５・・・仕切板  ６・・・主基板  ７・・・リールユニット  ８・・・電源ボックス
９・・・収容室  １０・・・棚板  １１・・・上扉  １２・・・下扉
１２ａ・・・上端凸縁  １３、１４・・・鍵シリンダ錠  １５・・・リール観察窓
１６・・・表示部  １７・・・メダル受皿  １８，１９・・・蝶番
【図１】
2009261773.tif 000003
【図２】
2009261773.tif 000004
【図３】
2009261773.tif 000005
【図４】
2009261773.tif 000006
【図５】
2009261773.tif 000007
【図６】
2009261773.tif 000008
【図７】
2009261773.tif 000009